(57)【特許請求の範囲】
【請求項１】
駆動源の駆動力を受けて回転し、挿入口から挿入されたカードを搬送する搬送ローラを備えたカードリーダにおいて、前記搬送ローラと前記カードの磁気情報を読み取る磁気ヘッドを前記カードが搬送される搬送路の前記挿入口側に前記搬送路の幅方向に並べて配置するとともに、前記カードが前記搬送路内に滞留したときに、前記カードを強制排出する強制排出機構を前記カードの搬送方向に沿って設け、前記強制排出機構は、前記駆動源の駆動力が伝達される一対のタイミングプーリと、これらのタイミングプーリに張架されているタイミングベルトとからなるとともに、前記一対のタイミングプーリは前記挿入口側と前記奥側とに配置され、前記奥側に対応している前記タイミングプーリには、搬送中の前記カードを前記タイミングベルトに向けて押圧する押圧ローラが設けられ、前記強制排出機構は、前記搬送路の幅方向において前記搬送ローラを挟んで前記磁気ヘッドとは反対側に配置されていることを特徴とするカードリーダ。
【請求項２】
前記搬送ローラは、前記磁気ヘッドの近傍で、且つ、前記搬送路の幅方向における略中央に配置されていることを特徴とする請求項１記載のカードリーダ。
【請求項３】
前記挿入口側に配置したタイミングプーリは前記搬送ローラと同軸上に配置されていることを特徴とする請求項２記載のカードリーダ。
【発明の詳細な説明】
【技術分野】
【０００１】
本発明は、磁気カード、ＩＣカード、その他情報を記録することができる各種カードを使用するカードリーダに関し、さらに詳述すると、これらカードが搬送路内に滞ってしまった場合にカードを強制排出する強制排出機構を備えたカードリーダに関する。
【背景技術】
【０００２】
カードリーダに挿入されるカードが、湾曲、変形またはオイル等のよごれが付着していない正常なものであれば、カードリーダ内でのカードの搬送は何ら問題なく行われる。しかしながら、変形したカードや汚れのひどいカード、規格サイズから外れたカードがカードリーダに挿入されると、搬送路内にカードが滞留する、いわゆるカードジャムを起こすことがあり、カードの処理ができなくなることがある。
【０００３】
そこで、従来一般のカードリーダ内には、カードがジャムを起こした場合を想定して、カード強制排出機構を独立して設けている。図５は、従来のカードリーダにおけるカード強制排出機構の例を概略的に示す。図５において、カードリーダには、搬送路８０を挟んで三対の搬送ローラ対８２、８４、８６が、適宜の間隔をおいて配置されている。カード挿入口８８から挿入されたカードは、搬送ローラ対８２、８４、８６によって順次奥側に搬送され、所定の処理、すなわち、記録情報の読み取り、書き込みが行われる。
さらに、搬送路８０の図示下側には、カードリーダの前後に配置されたスプロケット９２、９４にチェーン９０が掛けられている。チェーン９０はカード強制排出用のチェーンであり、その一部には強制排出用の爪９１が一体に設けられている。さらに、チェーン９０の上側は、搬送路８０の近くに、搬送路８０と平行に位置している。
【０００４】
通常は、チェーン９０は駆動されず、上記爪９１はカード搬送路外に退避している。カードがジャムを起こしたことを検出すると、スプロケット９２、９４の少なくとも一方が、図５において時計方向に回転駆動されてチェーン９０が駆動され、爪９１が搬送路８０内に立ち上がって、ジャムを起こしているカードを強制的にカード挿入口８８に向かって押し出すようになっている。（例えば、特許文献１を参照。）
【０００５】
【特許文献１】特開平８−７０５０号
【発明の開示】
【発明が解決しようとする課題】
【０００６】
しかしながら、特許文献１に示すカードリーダにおいて、独立して動作する強制排出機構を組み込んでおり、さらに、上記強制排出機構は、ジャムを起こした場合に動作するように、カードを強制的に排出するためのモータやソレノイドといった駆動源を新たに設ける必要がある。このため、カードリーダのコストの高騰、大型化、といった問題がある。
【０００７】
以上の問題に鑑み、本発明の課題は、カード搬送用駆動源を活用してカードを強制排出する強制排出機構を備えるカードリーダを提供することにある。
【課題を解決するための手段】
【０００８】
かかる目的を達成するため、本発明では、駆動源の駆動力を受けて回転し、挿入口から挿入されたカードを搬送する搬送ローラを備えたカードリーダにおいて、前記搬送ローラと前記カードの磁気情報を読み取る磁気ヘッドを前記カードが搬送される搬送路の前記挿入口側に前記搬送路の幅方向に並べて配置するとともに、前記カードが前記搬送路内に滞留したときに、前記カードを強制排出する強制排出機構を前記カードの搬送方向に沿って設け、前記強制排出機構は、前記駆動源の駆動力が伝達される一対のタイミングプーリと、これらのタイミングプーリに張架されているタイミングベルトとからなるとともに、前記一対のタイミングプーリは前記挿入口側と前記奥側とに配置され、前記奥側に対応している前記タイミングプーリには、搬送中の前記カードを前記タイミングベルトに向けて押圧する押圧ローラが設けられ、前記強制排出機構は、前記搬送路の幅方向において前記搬送ローラを挟んで前記磁気ヘッドとは反対側に配置されていることを特徴とする。
【０００９】
本発明において、前記カードを強制排出する強制排出機構は、前記駆動源の駆動力が伝達される一対のタイミングプーリと、これらのタイミングプーリに張架されている前記タイミングベルトとからなるので、特別な駆動源を必要とせず、強制排出機構を動作させることができ、カードリーダの小型化や低廉化を図ることができる。
さらに、本発明における強制排出機構は、上記搬送ローラを駆動する駆動源の駆動力が伝達されているので、搬送中にカードが上記搬送ローラから外れた場合、外れたカードはタイミングベルト上に載って回転方向に移動する。このため、滞留を低減することができる。
また、一対のタイミングプーリは挿入口側と奥側とに配置され、奥側のタイミングプーリには、押圧ローラを設けたので、搬送されるカードをタイミングベルトと押圧ローラとの間で挟持ことができ、上記カードリーダの奥側に搬送することができる。
【００１０】
また、本発明において、前記搬送ローラは、前記磁気ヘッドの近傍で、且つ、前記搬送路の幅方向における略中央に配置されていることが好ましい。
【００１１】
これにより、上記カードを搬送する搬送ローラは、上記磁気ヘッドの近傍であって、かつ、上記搬送路の幅方向におけるほぼ中央に配置されているので、蛇行を生じることなくカードを搬送することができ、安定した磁気情報の読取りが行なうことができる。
また、上記強制排出機構は、カード搬送には影響しない位置に配置することができる。
【００１２】
また、本発明において、前記挿入口側に配置したタイミングプーリは前記搬送ローラと同軸上に配置されていることが好ましい。
これにより、上記搬送ローラと上記強制排出機構を構成するタイミングベルトでのカード搬送速度差を低減できるため、安定したカード搬送と磁気情報の読取りが行なうことができ、同時に強制排出機構が動作していても、カード搬送には影響しない。
また、上記搬送ローラと上記タイミングプーリとを連結する連結部材が不要となるので、部品点数の削減を図ることができる。
【発明の効果】
【００１４】
本発明では、駆動源の駆動力を受けて回転し、挿入口から挿入されたカードを搬送する搬送ローラを備えたカードリーダにおいて、前記搬送ローラと前記カードの磁気情報を読み取る磁気ヘッドを前記カードが搬送される搬送路の前記挿入口側に前記搬送路の幅方向に並べて配置するとともに、前記カードが前記搬送路内に滞留したときに、前記カードを強制排出する強制排出機構を前記カードの搬送方向に沿って設け、前記強制排出機構は、前記駆動源の駆動力が伝達される一対のタイミングプーリと、これらのタイミングプーリに張架されているタイミングベルトとからなるとともに、前記一対のタイミングプーリは前記挿入口側と前記奥側とに配置され、前記奥側に対応している前記タイミングプーリには、搬送中の前記カードを前記タイミングベルトに向けて押圧する押圧ローラが設けられ、前記強制排出機構は、前記搬送路の幅方向において前記搬送ローラを挟んで前記磁気ヘッドとは反対側に配置されていることを特徴とする。
【００１５】
本発明において、前記カードを強制排出する強制排出機構は、前記駆動源の駆動力が伝達される一対のタイミングプーリと、これらのタイミングプーリに張架されている前記タイミングベルトとからなるので、特別な駆動源を必要とせず、強制排出機構を動作させることができ、カードリーダの小型化や低廉化を図ることができる。
さらに、本発明における強制排出機構は、上記搬送ローラを駆動する駆動源の駆動力が伝達されているので、搬送中にカードが上記搬送ローラから外れた場合、外れたカードはタイミングベルト上に載って回転方向に移動する。このため、滞留を低減することができる。
また、一対のタイミングプーリは挿入口側と奥側とに配置され、奥側のタイミングプーリには、押圧ローラを設けたので、搬送されるカードをタイミングベルトと押圧ローラとの間で挟持ことができ、上記カードリーダの奥側に搬送することができる。
【発明を実施するための最良の形態】
【００１６】
以下、本発明の構成を図面に示す最良の形態に基づいて詳細に説明する。
【００１７】
図１及び図２に本発明を適用したカードリーダの実施形態の一例を示す。図１は本発明に係るカードリーダの構成を示す平面図である。また、図２は、図１に示すカードリーダの構成のＩ−Ｉ線断面図であり、図３は、図１に示すカードリーダの構成のＩＩ−ＩＩ線断面図である。図４は、搬送されるカードの平面図及び側面図である。
【００１８】
カードリーダ１には、図１、２、３に示すように、カード４を挿入する挿入口１ａと、カード４が搬送される搬送路５と、カード４をカードリーダ１内から排出する排出口１ｂが構成されている。なお、排出口１ｂには、キャプチャーボックス（図示せず）が設けられており、たとえば、使用済みカードを他人に悪用されないように、カードリーダ１内で保持できるようになっている。
さらに、搬送路５内には、カード４上に記録されている磁気情報を読み取る磁気ヘッド８と、ＩＣ接点１８を備えたＩＣ接点ブロック１６と、搬送ローラ９に駆動する駆動源としてのモータ３０と、モータ３０からの回転が伝達されて、滞留するカードを強制排出する強制排出機構１０と、挿入したカード４を搬送する搬送ローラ９と押圧ローラ１４とが配置されている。
【００１９】
本実施の形態において、図１及び図２に示すように、カードリーダ１は、本体ユニット２と、その上部に開閉自在に設けられた上部ユニット３とから構成されている。この搬送路５は本体ユニット２、上部ユニット３、側板６、７によって囲まれて構成されている。また、図１に示すように、上面５ａと下面５ｂとで、搬送路５に挿入されるカード４の厚みを規制するとともに、曲がったカード４を強制するようにしている。
【００２０】
本体ユニット２には、カード４の磁気ストライプ（図４参照）に記録された磁気情報を読み取る磁気ヘッド８が設けられている。この磁気ヘッド８は、カード４に形成されている磁気ストライプの位置に対応するように、つまり、搬送路５において挿入口１ａ側で、側面５ｄに沿うように配置されており、さらに、読み取り面８ａが下面５ｂに形成されている開口５ｅから搬送路５内に露呈されている。
【００２１】
磁気ヘッド８の近傍には搬送ローラ９が配置され、挿入口１ａから搬送路５に挿入されたカード４を搬送するようになっている。すなわち、搬送ローラ９は、搬送路５の幅方向において磁気ヘッド８と隣り合い、且つ、搬送路５の幅方向における略中央に配置されている。搬送ローラ９はゴムからなる略円柱状のローラ本体９ａからなり、軸９ｂに固定され、一体的に回転するようになっている。
【００２２】
また、搬送ローラ９は、ローラ本体９ａの外周面の一部が搬送路５の下面５ｂに形成されている開口５ｆから搬送路５内に突出するように下面５ｂの下方で側板７に回動自在に軸支されている。さらに、搬送ローラ９の軸９ｂと上部ユニット３に設けられているモータ３０の駆動軸とは複数のギア（ギア輪列）２０を介して連結されており、搬送ローラ９はモータ３０の駆動力を受けて回動する。
【００２３】
搬送ローラ９に対向する位置には、押圧ローラ１４が上部ユニット３の内部に設けられている。この押圧ローラ１４は、ゴムからなる略円柱状のローラ本体１４ａからなっており、軸１４ｂに回転自在に支持されている。
【００２４】
押圧ローラ１４は、その軸心が搬送ローラ９の軸心と略平行で、且つ、ローラ本体１４ａの外周面がローラ本体９ａの外周面に対向するように配置されており、上部ユニット３に回動自在に軸支されている。ローラ本体１４ａの外周面とローラ本体９ａの外周面との距離は、カード４の厚みよりも小さく設定されており、これにより挿入口１ａから搬送路５に挿入されたカード４は、ローラ本体９ａとローラ本体１４ａとで挟持されるようになっている。
【００２５】
搬送ローラ９の近傍には、図１に示すように、強制排出機構１０を構成するタイミングプーリ１１が配置されている。
この強制排出機構１０は、モータ３０の駆動力が伝達されて、カード４が搬送路５内に滞留したときに、カード４を強制排出するものであり、挿入口１ａ側に配置されたタイミングプーリ１１、奥側に配置されタイミングプーリ１２、及びタイミングベルト１３とからなっている。
これらタイミングプーリ１１、１２及びタイミングベルト１３は、搬送路５の幅方向において搬送ローラ９を挟んで磁気ヘッド８とは反対側に配置されている。
【００２６】
タイミングプーリ１１は、その軸が搬送ローラ９の軸９ｂと同軸上に配置されており、軸９ｂにビスや接着剤などで固着されている。
タイミングプーリ１２は、タイミングプーリ１１と同様の形状及び大きさを有している。また、タイミングプーリ１２は、搬送ローラ９の軸心と略平行な軸心を有しており、カードリーダ１の奥側（搬送路５の下流部）である排出口１ｂ近傍において下部ユニット２に回動自在に軸支されている。
【００２７】
このように配設されたタイミングプーリ１１、１２にはタイミングベルト１３が張架されている。タイミングベルト１３に対応するように搬送路５の下面５ｂには開口５ｇが形成されており、この開口５ｇからタイミングベルト１３の外周面の一部が搬送路５内に露呈されている。また、タイミングベルト１３の外周面において、開口５ｇから搬送路５内に露呈されている露呈面１３ａは、搬送路５内に僅かに侵入している。
【００２８】
さらに、挿入口１ａ側のタイミングプーリ１１において、タイミングベルト１３の露呈面１３ａは、搬送ローラ９がカード４と接触する接触面９ｃよりも、露呈面１３ａに略直交する方向で搬送路５と同等か、僅かに退避している。
換言すれば、タイミングプーリ１１に張架され、搬送路５に突出するタイミングベルト１３の背面の位置は、搬送ローラ９の外形の突出量とほぼ同等かそれ以下の位置になるようにしている。
【００２９】
このため、搬送ローラ９及び押圧ローラ１４とで挟持されたカード４は、タイミングベルト１３の影響を大きく受けることなく、搬送路５内を搬送することができるようになっている。
以上のように、タイミングベルト１３は、カードリーダ１の挿入口１ａ側と奥側（搬送路５の上流部と下流部）とを掛け渡し、搬送ローラ９からタイミングプーリ１１を介して伝達される回転力が、タイミングベルト１３によりカードリーダ１の奥側に配置されたタイミングプーリ１２に確実に伝達されるようになっている。
【００３０】
さらに、本実施の形態では、搬送路５に突出するタイミングベルト１３の背面の位置は、搬送ローラ９の外形の突出量とほぼ同等としている。このため、搬送ローラ９の搬送速度と、タイミングプーリ１１上のタイミングベルト１３の背面の位置での搬送速度とはほぼ同じとなる。そのため、カード４を安定して搬送することができるとともに、磁気ヘッド８との磁気情報の読み取り等に悪影響を与えるようなこともない。なお、タイミングベルト１３の背面とは、滞留としたカードが載置する面である。
【００３１】
また、タイミングベルト１３の背面は、滞留したカードを確実に搬送するために、ある程度の摩擦抵抗を有する材質であることが良く、本実施の形態では、タイミングベルト１３はゴム製となっている。なお、タイミングベルト１３は、ゴム製に限定されるものではい。
【００３２】
挿入口１ａ側に配置されたタイミングプーリ１１には、対向する位置に押圧ローラが設けられていないので、タイミングプーリ１１はタイミングベルト１３を介して挿入されたカード４を挟持することができないようになっている。
【００３３】
その一方で、奥側に配置されたタイミングプーリ１２には、対向する位置に押圧ローラ１５が設けられている。押圧ローラ１５は、ゴムからなる略円柱状のローラ本体１５ａからなり、軸１５ｂに回転自在に支持されている。
この押圧ローラ１５は、その軸心が搬送ローラ９の軸心と略平行で、且つ、ローラ本体１５ａの外周面がタイミングベルト１３を介してタイミングプーリ１２の外周面に対向するように配置されており、側板６に回動自在に軸支されている。
【００３４】
また、ローラ本体１５ａの外周面はタイミングベルト１３に当接しており、これによりカード４はローラ本体１５ａとタイミングベルト１３とで挟持されるようになっている。すなわち、搬送路５の奥側に搬送されたカード４は、押圧ローラ１５とタイミングベルト１３との間で挟持されて、排出口１ｂ側に搬送可能となっている。
【００３５】
タイミングプーリ１１、１２の間隔Ｈは、カード４の搬送方向に沿ってカード４のカード長Ｌよりも僅かに短い間隔を置いて設けられている。
ＪＩＳ  Ｘ６３０２によれば、カードの端部から５ｍｍまでリード保証（磁気ヘッドの読み出しが保証）が必要であると定義されている。（図４参照。）これにより、本実施の形態では、磁気ヘッドの読み出し中に搬送ローラへの乗り継ぎ衝撃を防止するために、カード乗り継ぎ間隔（搬送ローラ９、１２との間隔Ｈ）は磁気ヘッドの読み出し規格長以上に設定されている。
さらに、上記カード乗り継ぎ間で落下してカードが滞留することを防止するために、カード乗り継ぎ間隔はカード規格長以下に設定されている。
【００３６】
本実施の形態では、タイミングプーリ１１、１２の間隔Ｈは、つぎのように設定されている。磁気ヘッド８が、カード４を搬送させる搬送ローラ９とほぼ同軸上に配置されており、排出口１ｂ側に配置されている搬送ローラとしても機能するタイミングプーリ１２へカードが乗り継ぐ場合のカード４の端部位置は、搬送ローラ９から５ｍｍ以下となるように設定され、かつ、残りわずかな搬送でカード４をタイミングプーリ１２と押圧ローラ１５に確実に受け渡すうように設定されている。
【００３７】
搬送ローラ９を回転させる駆動源としてのモータ３０が、図１に示すように、挿入口１ａと搬送ローラ９及び押圧ローラ１４との間で搬送路５の上部ユニット３内に収納されている。
さらに、モータ３０の駆動軸には、複数のギア２０を介して連結されており、搬送ローラ９はモータ３０の駆動力を受けて回動するようにしている。
【００３８】
さらに、本実施の形態では、上部ユニット３の内部にはカード４に搭載されているＩＣチップ（不図示）に対して電気的処理、すなわち、情報の読み出しや書き込みを行うＩＣ接点ブロック１６が設けられている。ＩＣ接点ブロック１６は、略Ｌ字状の支持部材１７と、導電性のバネ材からなる複数のＩＣ接点１８と、支持部材１７の奥側短部に形成された度当り部１７ａとから主な構成となっている。
【００３９】
ＩＣ接点ブロック１６は、二組のリンク機構１９により、搬送されるカード５に接近離反するように回動可能となっている。
度当り部１７ａは、その先端が搬送路５に突出しており、カード４の先端と当接可能となっている。カード４と当接した後は、カード４の奥側への搬送とともに、ＩＣ接点ブラック１６が搬送路５に接近するように設けられている。（図２において点線部分参照。）
また、カード４を排出口１ｂから排出する際、このＩＣ接点ブロック１６は、図示していないが、度当り部１７ａの先端が、カード４の搬送の邪魔にならない程度、搬送路５から離反するようになっている。
なお、ＩＣ接点ブロック１６の構成及び動作は周知であるので、ここでの説明は省略する。
【００４０】
次に、上記構成による動作について説明する。
先ず、カード４が挿入口１ａから挿入され、挿入口１ａ近傍のフォトセンサによってカード４が検知されると、カード４をカードリーダ１内に搬送する方向（図１においてＡ方向）に、モータ３０及び搬送ローラ９が回転を開始する。
挿入口１ａから挿入されたカード４の先端がローラ本体９ａの外周面とローラ本体１４ａの外周面との間に差し込まれると、カード４は搬送ローラ９の回転力を受けて搬送路５内に取り込まれる。
【００４１】
カード４は、搬送ローラ９と押圧ローラ１４との間で挟持されながら、搬送路５を搬送されている間に磁気ヘッド５によって磁気ストライプ上に記録されている磁気情報が読み取られる。
カード４が搬送ローラ９のＡ方向の回転力によってさらに搬送路５の奥側に搬送されると、やがてカード４の先端がＩＣ接点ブロック１６の度当り部１７ａを押圧する。
カード４の先端が度当り部１７ａをさらに奥側押圧すると、ＩＣ接点ブロック１６はリンク機構により図中反時計周り方向に回転し、ＩＣ接点１８がカード４のＩＣチップの入出力部に当接する。
これによりＩＣ接点ブロック１６によってＩＣチップに格納されている情報が読み取られる。または、情報が更新される。
【００４２】
所定の処理が行われた後、カード４を挿入口１ａ側に搬送する方向（図１においてＢ方向）に、モータ３０及び搬送ローラ９が回転する。
なお、上述した動作は周知のものであるので、ここでの詳細な説明は省略する。
【００４３】
次に、磁気ヘッド５によって読み取られた磁気情報とＩＣ接点ブロック１６によって読み取られた情報とに基づいてカード４が使用済みカードとして識別された場合について説明する。
この場合には、カード４は、挿入口１ａから排出されず、カードリーダ１の奥側に設けられた排出口１ｂから排出される。
そこで、カード４が使用済みカードであると識別されると、モータ３０及び搬送ローラ９はＡ方向に回転する。
このとき、搬送ローラ９のローラ本体９ａが支持されている軸９ｂには、強制排出機構１０を構成するタイミングプーリ１１が固定されているので、同じ方向に回転する。そのため、タイミングプーリ１１に係合しているタイミングベルト１３を介して、その回転は奥側に配置されているタイミングプーリ１２に回転が伝達される。
【００４４】
搬送ローラ９と押圧ローラ１４との間に挟持されながら搬送路５上を搬送されているカード４の先端は、タイミングベルト１３を介してタイミングプーリ１２と押圧ローラ１５との間に差し込まれる。
搬送ローラ９の回転がさらに進むと、カード４は、その後端は搬送ローラ９と押圧ローラ１４との挟持から離れるが、カード４の先端がタイミングプーリ１２と押圧ローラ１５との間に挟持されるようになり、さらにカードリーダ１の奥側に搬送される。
その後、搬送ローラ９の回転がさらに進むと、やがてカード４は排出口１ｂからキャプチャーボックスに排出される。
なお、カード４を排出口１ｂから排出する際、ＩＣ接点ブロック１６はその度当り部１７ａの先端がカード４の搬送を邪魔しないように搬送路５からさらに離反する。
【００４５】
（カードの強制排出の動作）
一方、図４に示すように、搬送されるカードが変形したカードや汚れのひどいカード、規格サイズから外れたカードである場合、そのカードがカードリーダ１に挿入されると、搬送路５内にカードが滞留する、いわゆるカードジャムを起こす場合が生じる。
すなわち、挿入口１ａから挿入された上記カードが搬送ローラ９と押圧ローラ１４との挟持から離れた後、カードの先端がタイミングプーリ１２と押圧ローラ１５との間に挟持されない場合が生じて、上記カードが搬送路５内に滞留することになる。しかし、強制排出機構１０にはモータ３０の駆動力（回転）が伝達されているので、タイミングベルト１３の上に落ち、タイミングベルト１３とともに回転方向に移動する。その後、カードの先端が、回転方向側であるタイミングプーリ１２と押圧ローラ１５との間に挟持され、排出口１ｂから排出される。
なお、モータ３０の回転方向を挿入口１ａ側に反転してもよく、滞留したカードを搬送ローラ９と押圧ローラ１４との間に挟持させて、挿入口１ａから排出するようにしてもよい。
【００４６】
（本実施の形態の主な効果）
本実施の形態では、カードリーダ１は、カード４が搬送路５内に滞留したときに、カード４を強制排出する強制排出機構１０をカード４の搬送方向に沿って設け、強制排出機構１０は、モータ３０の駆動力が伝達される一対のタイミングプーリ１１、１２と、これらのタイミングプーリ１１、１２に張架されているタイミングベルト１３とからなっているので、新たに強制排出機構１０を駆動するための駆動源を必要とせず、強制排出機構１０を動作させることができ、カードリーダ１の小型化や低廉化を図ることができる。
【００４７】
さらに、強制排出機構１０は、搬送ローラ９を駆動するモータ３０の駆動力が伝達されているので、万が一、搬送中にカード４が搬送ローラ９から外れた場合、外れたカードはタイミングベルト１３上に載って回転方向に移動する。このため、滞留を低減することができる。
【００４８】
さらに、カード４を搬送する搬送ローラ９は、磁気ヘッド８の近傍であって、かつ、搬送路５の幅方向におけるほぼ中央に配置されているので、蛇行を生じることなくカード４を搬送することができ、安定した磁気情報の読取りが行なうことができる。また、強制排出機構１０は、カード搬送には影響しない位置に配置することができる。
【００４９】
また、強制排出機構１０を構成する一対のタイミングプーリ１１、１２は挿入口１ａ側と排出口１ｂ側とに配置され、挿入口１ａ側に対応しているタイミングプーリ１１は搬送ローラ９と同軸上に配置されているので、搬送ローラ９とタイミングプーリ１１でのカード搬送速度差を低減できるため、安定したカード搬送と磁気情報の読取りができ、同時に強制排出機構１０が動作していても、カード搬送には影響しない。また、搬送ローラ９とタイミングプーリ１１とを連結する連結部材が不要となるので、部品点数の削減を図ることができる。
【００５０】
さらに、排出口１ｂ側に対応しているタイミングプーリ１２には、搬送中のカード４をタイミングベルト１３に向けて押圧する押圧ローラ１４が設けられているので、排出口１ｂ側のタイミングプーリ１２には押圧ローラ１４を設けたので、搬送されるカード４をタイミングベルト１３と押圧ローラ１４との間で挟持ことができ、カードリーダ１の排出口１ｂ側のキャプチャーボックスに排出することができる。
【００５１】
さらに、タイミングベルト１３の露呈面１３ａを、搬送ローラ９の接触面９ｃよりも露呈面１３ａに略直交する方向で搬送路５と同等か退避させるようにしたので、搬送ローラ９の回転力がカード４の搬送に寄与しているときにタイミングベルト１３の駆動力がカード４に対して与える影響を小さくすることができ、磁気ヘッド８による磁気情報の読み取り、あるいは磁気ヘッド８のカード４に対しての書き込みを安定して行うことができる。
【００５２】
なお、上述の形態は本発明の好適な形態の一例ではあるがこれに限定されるものではなく本発明の要旨を逸脱しない範囲において種々変形実施可能である。
カード４は、図４に示すように、カード長Ｌより短いカードＣ２（例えば、パッキ−カード）、または、厚みの薄いカードＣ３（例えば、プリペイドカード）であってもよい。
【００５３】
また、上記実施形態では、タイミングプーリ１１と搬送ローラ９とを同軸上に配置したが、必ずしも同軸上に配置する必要はなく、タイミングプーリ１１の軸心と搬送ローラ９の軸心とが略平行に配置されていれば良く、この場合、タイミングプーリ１１の軸と搬送ローラ９の軸９ｂとをギアなどの連結部材を介して連結して、搬送ローラ９の回転力をタイミングプーリ１１に伝達するようにすれば良い。
【００５４】
上記実施形態では、タイミングプーリ１１を搬送ローラ９の軸９ｂに固着し、タイミングプーリ１１の回転と搬送ローラ９の回転とが同期するようにしたが、搬送ローラ９の回転周期とタイミングプーリ１１の回転周期とが異なるように設定しても良い。
この場合、搬送ローラ９の回転力を互いに歯数の異なる複数のギアを介してタイミングプーリ１１に伝達すれば良い。
【００５５】
上記実施形態では、タイミングプーリ１１とタイミングプーリ１２との間隔がカード長Ｌよりも短くなるように設定されているが、タイミングプーリ１１とタイミングプーリ１２との間隔をカード長Ｌよりも長く設定し、カード４の搬送距離を伸ばしても良い。
この場合、カード長Ｌよりも短い区間ごとにタイミングベルト１３の露呈面１３ａに対向するように押圧ローラを設ければ良い。
さらに、タイミングベルト１３の内周面にローラをあてがってタイミングベルト１３の張力を高めることが好ましい。
【００５６】
また、排出口１ｂから排出されるカード４を使用済みカードとしたが、これに限ることなく、挿入口１ａから排出させたくないカードや、カードユーザがカードを取り忘れた場合の回収手段であってもよい。
さらに、排出口１ｂ側にカード発行装置を設け、新しいカードを排出口１ｂからカードリーダ１内に挿入するようにしてもよい。
【００５７】
上記実施形態では、磁気ヘッド８とＩＣ接点１６の両方が搭載されたカードリーダ１を採用しているが、磁気ヘッド８とＩＣ接点１６とのいずれか一方のみが搭載されたカードリーダであっても良く、カードを搬送する機能を有するカードリーダであれば本発明を適用することができる。
【図面の簡単な説明】
【００５８】
【図１】本発明に係るカードリーダの構成を示す平面図である。
【図２】図１に示すカードリーダの構成のＩ−Ｉから見た断面図である。
【図３】図１に示すカードリーダの構成のＩＩ−ＩＩから見た断面図である。
【図４】搬送されるカードの平面図及び側面図である。
【図５】従来のカードリーダにおけるカード強制排出機構の例を概略的に示す図である。
【符号の説明】
【００５９】
１  カードリーダ
１ａ  挿入口
４  カード
５  搬送路
８  磁気ヘッド
９  搬送ローラ
１０  強制排出機構
１１、１２  タイミングプーリ
１３  タイミングベルト
１４、１５  押圧ローラ
３０  駆動源（モータ）
【図１】
0004647454.tif 000002
【図２】
0004647454.tif 000003
【図３】
0004647454.tif 000004
【図４】
0004647454.tif 000005
【図５】
0004647454.tif 000006